(57)【特許請求の範囲】
【請求項１】
エレベーターケージの内部に設けられる円筒形ハンドレールの円周面にボルトで固定され、Ｌ形状の断面を有し、底面中央とエッジの各々に締結孔と係止孔が貫通形成され、弾性を有する固定板アセンブリー、及び
前記固定板アセンブリーに結合され、逆Ｕ形状の断面を有し、結合状態で、一端部はハンドレールの円周面に一致する曲線を有し、他端部はエレベーターケージ壁面に結合されるブラケットを含み、
前記ブラケットは、
ブラケット内部の上端部から離隔して水平に配置され、長さ方向に中央にガイドスロットが形成され、ガイドスロット両側に板状で配置されるＴ−ナットガイド、
前記Ｔ−ナットガイドのガイドスロットに沿って動き、ガイドスロットに挿入される本体と、本体上端の両側に水平に突出したウィングと、本体に垂直に形成されたネジ穴とを有し、断面がＴ形状のＴ−ナット、
前記Ｔ−ナットガイドの一端部に下向き突出し、組み立て状態で固定板アセンブリーをハンドレールに固定したボルトのボルト頭部に接するストッパー、
ハンドレール反対側のブラケットの端部付近でブラケットの内部に垂直に形成され、締結用ボルトの本体を通過し、ボルト頭部は掛かる大きさのホールが形成されたボルトサポート、及び
前記ボルトサポートの下端部に垂直に突出し、ボルトサポートの下端部との連結部に段差部を形成し、組み立て状態で固定板アセンブリーの係止孔に前記段差部が掛かった状態で係止孔の下方に突出する係止突起を備え、
ハンドレールに結合された固定板アセンブリーにブラケットを嵌め、係止孔に係止突起の段差部が噛み合って結合した後、締結孔を通してボルトを嵌め、Ｔ−ナットのネジ穴に締め付ければ、固定板アセンブリーが弾性によって下方に曲がってハンドレールに上方に力を加えることを特徴とするエレベーターのハンドレール支持装置。
【請求項２】
前記ストッパーの下端にボルトのボルト頭部に対応する形状の溝が形成されることを特徴とする、請求項１に記載のエレベーターのハンドレール支持装置。
【発明の詳細な説明】
【技術分野】
【０００１】
本発明は、エレベーターのハンドレール支持装置に関し、具体的には、ハンドレールの下方ではなく側面においてのみ支持する装置に関する。
【背景技術】
【０００２】
図１は、エレベーターケージの内部で乗客が手でつかむハンドレールの従来の支持例と問題点を示す図である。
【０００３】
エレベーターに乗った乗客、特に成人は手でハンドレールを握る場合が多い。この時、乗客の体重により手でハンドレールを押し下げるしかなく、このためにエレベーターのハンドレールを下方から支持しない構造を採択すればハンドレールが元の位置より下方に傾くようになる。これを防止するために、従来の大部分のエレベーターのハンドレールは、図１に示すように、下方からハンドレール１０を支える構造を採択する。このような構造では、乗客がハンドレールを下方に押し下げる力に耐えてハンドレールが元の位置を維持することができる。しかし、背の低い乳児や子供がエレベーターに乗った時には、図示されたようにハンドレール下端の支持部のエッジにぶつかる場合が多い。このようなハンドレール下端の支持部のエッジは、その構造の特性上、直角の角度を有する鋭い場合が多く、そのためにそこにぶつかった子供の頭部が大きくケガをする深刻な問題も生じうる。
【発明の概要】
【発明が解決しようとする課題】
【０００４】
本発明は、従来のこのような問題点を考慮して導き出されたものであり、ハンドレールの側面にのみハンドレールを支持するようにし、ハンドレールが背の低い子供の頭部に接しないようにして事故を未然に防止することを主な目的とする。
【０００５】
また、本発明は、子供の背がハンドレールにぶつかる程度である場合にも、鋭いエッジでない円形の曲面にのみ頭部が接するようにすることでケガを最小化するようにする。
【０００６】
なお、本発明は、側面においてのみハンドレールを支持しても下方圧力によってハンドレールが下方に垂れるのを防止することを目的とする。
【課題を解決するための手段】
【０００７】
本発明のこのような目的は、エレベーターケージの内部に設けられる円筒形ハンドレール１０の円周面にボルト８で固定され、Ｌ形状の断面を有し、底面中央とエッジの各々に締結孔２２と係止孔２４が貫通形成され、弾性を有する固定板アセンブリー２０、及び前記固定板アセンブリー２０に結合され、逆Ｕ形状の断面を有し、結合状態で、一端部はハンドレール１０の円周面に一致する曲線を有し、他端部はエレベーターケージ壁面に結合されるブラケット５０を含み、前記ブラケットは、ブラケット内部の上端部との間に空間をおいて水平に配置され、長さ方向に中央にガイドスロット６２が形成され、ガイドスロット両側に板状で配置されるＴ−ナットガイド６０、前記Ｔ−ナットガイド６０のガイドスロット６２に沿って動き、ガイドスロットに挿入される本体７４と、本体上端の両側に水平に突出したウィング７２と、本体７４に垂直に形成されたネジ穴７６とを有し、断面がＴ形状のＴ−ナット７０、前記Ｔ−ナットガイド６０の一端部に下向き突出し、組み立て状態で固定板アセンブリー２０をハンドレール１０に固定したボルト８のボルト頭部に接するストッパー８０、ハンドレール反対側のブラケット５０の端部付近でブラケットの内部に垂直に形成され、締結用ボルトの本体は通過し、ボルト頭部は掛かる大きさのホール９２が形成されたボルトサポート９０、及び前記ボルトサポート９０の下端部に垂直に突出し、ボルトサポートの下端部との連結部に段差部９４を形成し、組み立て状態で固定板アセンブリー２０の係止孔２４に前記段差部９４が掛かった状態で係止孔２４の下方に突出する係止突起９６を備え、ハンドレール１０に結合された固定板アセンブリー２０にブラケット５０を嵌め、係止孔２４に係止突起９６の段差部９４が噛み合って結合した後、締結孔２２を通してボルトを嵌め、Ｔ−ナット７０のネジ穴７６に締め付ければ、固定板アセンブリー２０が弾性によって下方に曲がってハンドレール１０に上方に力を加えるエレベーターのハンドレール支持装置によって達成される。
【０００８】
本発明によれば、ストッパー８０の下端にボルト８のボルト頭部に対応する形状の溝を形成してもよい。
【発明の効果】
【０００９】
このように構成された本発明のハンドレール支持装置によれば、ハンドレールの下部に何の突出部もないため、背の低い子供がハンドレールやその付属品に頭部をぶつかってケガをする危険を大幅に減らすことができ、ハンドレールの垂れも防止することは勿論、ハンドレールの分解組み立て過程をエレベーターケージの内部で行うことができるので作業が容易であり、作業者の安全も確保することができる。
【図面の簡単な説明】
【００１０】
【図１】従来のハンドレールの問題点を示す図である。
【図２】本発明に係るエレベーターのハンドレール支持装置の分解斜視図であって、上部組立体であるブラケットを半分のみ示す図である。
【図３】組み立て状態を示す下方斜視図である。
【図４】組み立て状態の断面図と要部拡大図である。
【図５】図４のＶ−Ｖ線断面図である。
【図６】本発明の装置を用いてハンドレールをエレベーター壁面に組み立てし、子供が乗った状況を示す図である。
【発明を実施するための形態】
【００１１】
図２は、本発明に係るエレベーターのハンドレール１０支持装置の分解斜視図であって、上部組立体であるブラケット５０は対称構造であるので半分のみ図示した。
【００１２】
図示されたように、エレベーターケージの内部に設けられる円筒形ハンドレール１０の円周面に固定板アセンブリー２０をボルト８で固定する。固定板アセンブリー２０は側面から見てＬ形状の断面を有し、底面中央とエッジの各々に締結孔２２と係止孔２４が貫通形成される。係止孔２４は長方形の形状を有することが好ましい。また、固定板アセンブリー２０はハンドレール１０を上方に支持するために弾性を有した方が良く、このような弾性の役割については後述する。
【００１３】
固定板アセンブリー２０の上方にブラケット５０が結合される。ブラケットはハンドレール方向から見て全体的に逆Ｕ形状の断面を有し、ハンドレール側のブラケットの一端部はハンドレール１０の円周面に一致する曲線を有し、その反対側の他端部はエレベーターケージ壁面に結合される。
【００１４】
ブラケット内部の上端部との間の空間をおいて水平にＴ−ナットガイド６０がブラケット内部に形成される。Ｔ−ナットガイド６０は長さ方向に中央にガイドスロット６２を有し、ガイドスロット両側に板状で配置される（図５参照）。前述したように、図２にはＴ−ナットガイド６０が半分のみ図示されている。
【００１５】
Ｔ−ナットガイド６０のガイドスロット６２に沿って断面がＴ形状のＴ−ナット７０が動くように配置される。Ｔ−ナット７０は、ガイドスロットに挿入される本体７４と、本体上端の両側に水平に突出したウィング７２と、本体７４に垂直に形成されたネジ穴７６とを有する。図面において、矢印（Ａ）方向にＴ−ナット７０をＴ−ナットガイド６０、具体的にはＴ−ナットガイド６０のガイドスロット６２に嵌めれば良い。
【００１６】
ハンドレール側のＴ−ナットガイド６０の一端部にストッパー８０が下向き突出するように形成される。このストッパー８０は、組み立て状態で固定板アセンブリー２０をハンドレール１０に固定したボルト８のボルト頭部に接する（図４〜５参照）。図４〜５から知ることができるように、組み立て過程中にストッパー８０がボルト８のボルト頭部に接するため、ブラケット５０と固定板アセンブリー２０が一定間隔を維持して結合されることができる。このために、ボルト頭部に対応する形状の溝がストッパー８０に形成されればより好ましい。
【００１７】
ハンドレール反対側のブラケット５０の端部付近でブラケットの内部に垂直にボルトサポート９０が形成される。ボルトサポート９０は、隔板形状として、中央には締結用ボルトの本体を通過し、ボルト頭部は掛かる大きさのホール９２が貫通形成される。
【００１８】
ボルトサポート９０の下端部に係止突起９６が垂直に突出し、ボルトサポートの下端部と係止突起９６の連結部に段差部９４が形成される。
【００１９】
図４から知ることができるように、組み立て状態で、段差部９４は固定板アセンブリー２０の係止孔２４に掛かった状態で係止孔２４の下方に突出する。
【００２０】
図３は、組み立て状態を示す下方斜視図であって、ブラケットは説明の便宜上半分のみを示し、図４は、組み立て状態の断面図と（二点鎖線円で表示された）要部拡大図である。
【００２１】
図示されたように、ブラケット５０をエレベーター壁面にボルトで固定した後、ハンドレール１０に結合された固定板アセンブリー２０にブラケット５０を嵌め、係止孔２４に係止突起９６の段差部９４が噛み合って結合した後、締結孔２２を通してボルト８を嵌め、矢印（Ｂ）方向にＴ−ナット７０のネジ穴７６に締め付ければ、ストッパー８０によってブラケット５０は本来の姿勢を維持した状態でボルト８のボルト頭部が矢印（Ｃ）方向に固定板アセンブリー２０を上方に押し出し、弾性によって固定板アセンブリーの残りの部分が下方に曲がるようになる。このように固定板アセンブリーが曲がった状態で、弾性によって固定板アセンブリーがハンドレール１０を上方に押すようになるため、乗客が手でハンドレールに下方に力を加えてもハンドレールが垂れる現象を防止することができる。
【００２２】
図５は、図４のＶ−Ｖ線断面図であって、組み立て過程中にストッパー８０がボルト８のボルト頭部に接する状態を明確に見ることができる。
【００２３】
図６は、本発明の装置を用いてハンドレールをエレベーター壁面に組み立て、子供が乗った状況を示す図である。
【００２４】
図示されたように、ハンドレール下方に何の突出部もないため、背の低い子供がハンドレールやその付属物にぶつかってケガをする危険を避けることができる。
【００２５】
また、本発明のハンドレール支持装置は、全ての分解組み立て過程をエレベーターケージの内部で行うことができるため、作業者の安全を確保することは勿論、分解組み立て作業も極めて容易である。
【図１】
0006376423.tif 000002
【図２】
0006376423.tif 000003
【図３】
0006376423.tif 000004
【図４】
0006376423.tif 000005
【図５】
0006376423.tif 000006
【図６】
0006376423.tif 000007